Podtech/llm-jp-corpus-v4-ja_patent huggingface dataset:
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
熱媒体と空気との間で熱交換を行う熱交換器（１０）であって、
内部を熱媒体が流れる管状のチューブ（１００）と、
金属板を折り曲げることによって形成された部材であって、前記チューブの表面にろう接されているフィン（２００）と、を備え、
前記フィンにはルーバー（２１０）が形成されており、
前記チューブの表面（１０１）には、
ろう接時において融解したろう材を、前記チューブと前記フィンとの接合部から他の部分に向けて誘導するための誘導溝（１３１，１３２，１３３）が形成されており、
前記チューブの表面には、前記チューブの内側に向けて後退する凹部（１２０）が形成されており、
少なくとも一部の前記誘導溝が前記凹部に繋がっている熱交換器。
【請求項２】
前記チューブは、熱媒体の流路を区画する部材の一部を内側に折り曲げることによって形成されたリブ（１１０）、を有しており、
前記凹部は前記リブの根元部分に形成されたものである、請求項１に記載の熱交換器。
【請求項３】
前記チューブの端部が接合されたタンク（１１，１３）を更に備え、
前記誘導溝は、前記チューブと前記タンクとの接合部分に繋がっている、請求項１又は２に記載の熱交換器。
【請求項４】
熱媒体と空気との間で熱交換を行う熱交換器（１０）であって、
内部を熱媒体が流れる管状のチューブ（１００）と、
金属板を折り曲げることによって形成された部材であって、前記チューブの表面にろう接されているフィン（２００）と、を備え、
前記フィンにはルーバー（２１０）が形成されており、
前記チューブの表面（１０１）には、
ろう接時において融解したろう材を、前記チューブと前記フィンとの接合部から他の部分に向けて誘導するための誘導溝（１３１，１３２，１３３）が形成されており、
前記チューブの端部が接合されたタンク（１１，１３）を更に備え、
前記誘導溝は、前記チューブと前記タンクとの接合部分に繋がっていない熱交換器。
【請求項５】
前記誘導溝のうち少なくとも一部では、その長手方向に対し垂直な断面における形状が矩形となっている、請求項１乃至４のいずれか１項に記載の熱交換器。
【請求項６】
前記誘導溝のうち少なくとも一部では、その長手方向に対し垂直な断面における形状が円弧状となっている、請求項１乃至４のいずれか１項に記載の熱交換器。
【請求項７】
前記誘導溝のうち少なくとも一部では、その長手方向に対し垂直な断面における形状がＶ字型となっている、請求項１乃至４のいずれか１項に記載の熱交換器。
【請求項８】
前記誘導溝の深さは、前記チューブを構成する金属板の厚さよりも小さい、請求項１乃至７のいずれか１項に記載の熱交換器。
【請求項９】
前記チューブは、その表面に予めろう材層（ＢＤ１）が形成されたクラッド材によって構成されており、
前記誘導溝の深さは、前記ろう材層の厚さよりも大きい、請求項８に記載の熱交換器。
【手続補正２】
【補正対象書類名】明細書
【補正対象項目名】０００９
【補正方法】変更
【補正の内容】
【０００９】
本開示に係る熱交換器は、熱媒体と空気との間で熱交換を行う熱交換器（１０）であって、内部を熱媒体が流れる管状のチューブ（１００）と、金属板を折り曲げることによって形成された部材であって、チューブの表面にろう接されているフィン（２００）と、を備える。フィンにはルーバー（２１０）が形成されている。チューブの表面（１０１）には、ろう接時において融解したろう材を、チューブとフィンとの接合部から他の部分に向けて誘導するための誘導溝（１３１，１３２，１３３）が形成されている。チューブの表面には、チューブの内側に向けて後退する凹部（１２０）が形成されており、少なくとも一部の誘導溝が凹部に繋がっている。
【手続補正書】
【提出日】令和2年10月8日(2020.10.8)
【手続補正１】
【補正対象書類名】明細書
【補正対象項目名】０００８
【補正方法】変更
【補正の内容】
【０００８】
以下、本発明の実施の形態を示して、本発明を詳細に説明する。各図面において、同一部材或いは対応する部材を示す箇所には、同一の符号を付与している。特に図示或いは記述をしない構成や工程には、当該技術分野の周知技術又は公知技術を適用することが可能である。また、重複する説明は省略する場合がある。
本発明は、積層造形法による立体物の製造方法であって、下記の工程を有する。
（Ｉ）セラミックス粒子層を形成する工程
（ＩＩ）セラミックス粒子層に前駆体組成物を付与する工程
（ＩＩＩ）（Ｉ）から（ＩＩ）の工程を繰り返して積層体を得る工程
（ＩＶ）積層体を加熱した後に、不要のセラミックス粒子を除去する工程
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
複数のプレーヤが個別に操作する複数の操作キャラクタの協力により進行するゲームの画像を、当該複数のプレーヤが個別に使用する端末を介して当該複数のプレーヤへ提供するためのプログラムであって、
前記複数の操作キャラクタが行動するゲーム空間の画像を、前記複数のプレーヤに向けたゲーム画面として生成するゲーム画像生成手段と、
前記複数のプレーヤにより入力された操作情報に基づき発生するゲームイベント又は当該操作情報が、所与の条件を充足したか否かを判定する判定手段と、
してコンピュータを機能させ、
前記ゲーム画像生成手段は、
前記条件が充足された場合には、その充足に協力した２以上の協力プレーヤの操作キャラクタに関連する画像を、少なくとも前記２以上の協力プレーヤのゲーム画面へ挿入される挿入画像として生成する挿入画像生成手段を含み、
前記挿入画像生成手段は、
前記２以上の協力プレーヤの各々に向けた前記挿入画像を、各々の操作キャラクタに応じて生成する、
ことを特徴とするプログラム。
【請求項２】
請求項１に記載のプログラムにおいて、
前記挿入画像は、
前記２以上の協力プレーヤの操作キャラクタの関連画像を画面内に並べたものであり、
前記挿入画像生成手段は、
前記関連画像のレイアウト、表示サイズの少なくとも１つの関係を調整することにより、前記２以上の協力プレーヤの各々に向けた前記挿入画像の生成を行う、
ことを特徴とするプログラム。
【請求項３】
請求項１に記載のプログラムにおいて、
前記挿入画像は、
前記２以上の協力プレーヤの操作キャラクタの関連画像を時系列に並べたものであり、
前記挿入画像生成手段は、
前記関連画像の表示順序、表示色、表示サイズ、表示時間の少なくとも１つの関係を調整することにより、前記２以上の協力プレーヤの各々に向けた前記挿入画像の生成を行う、
ことを特徴とするプログラム。
【請求項４】
請求項１〜３の何れか一項に記載のプログラムにおいて、
前記条件には、
一連の操作情報の入力が制限時間内に完了する、という条件が含まれる、
ことを特徴とするプログラム。
【請求項５】
請求項１〜４の何れか一項に記載のプログラムにおいて、
前記挿入画像生成手段は、
前記複数の操作キャラクタの各々について予め用意された複数の関連画像の中から選択された関連画像に基づき、前記２以上の協力プレーヤの各々に向けた前記挿入画像の生成を行う、
ことを特徴とするプログラム。
【請求項６】
請求項１〜４の何れか一項に記載のプログラムにおいて、
前記挿入画像生成手段は、
前記複数の操作キャラクタの各々について予め用意された複数の挿入画像の中から選択された挿入画像を、前記２以上の協力プレーヤの各々に向けた前記挿入画像の生成に用いる、
ことを特徴とするプログラム。
【請求項７】
請求項１〜４の何れか一項に記載のプログラムにおいて、
前記挿入画像生成手段は、
前記挿入画像の一部を別の画像に置換することにより、前記２以上の協力プレーヤの各々に向けた前記挿入画像の生成を行う、
ことを特徴とするプログラム。
【請求項８】
請求項１〜４の何れか一項に記載のプログラムにおいて、
前記挿入画像生成手段は、
前記挿入画像に別の画像を付加することにより、前記２以上の協力プレーヤの各々に向けた前記挿入画像の生成を行う、
ことを特徴とするプログラム。
【請求項９】
請求項１〜８の何れか一項に記載のプログラムにおいて、
前記挿入画像生成手段は更に、
前記２以上の協力プレーヤのゲーム状況及び関係性の少なくとも一方に応じて、前記２以上の協力プレーヤの各々に向けた前記挿入画像の演出を制御する、
ことを特徴とするプログラム。
【請求項１０】
請求項１〜９の何れか一項に記載のプログラムにおいて、
前記挿入画像生成手段は、
前記条件の一部が充足された場合には、当該一部の充足に協力した協力プレーヤの操作キャラクタに関連する画像を、少なくとも前記条件の残りの充足に協力し得るプレーヤのゲーム画面へ挿入される挿入画像として生成する、
ことを特徴とするプログラム。
【請求項１１】
複数のプレーヤが個別に操作する複数の操作キャラクタの協力により進行するゲームの
画像を、当該複数のプレーヤが個別に使用する端末を介して当該複数のプレーヤへ提供する画像生成装置であって、
前記複数の操作キャラクタが行動するゲーム空間の画像を、前記複数のプレーヤに向けたゲーム画面として生成するゲーム画像生成手段と、
前記複数のプレーヤにより入力された操作情報に基づき発生するゲームイベント又は当該操作情報が、所与の条件を充足したか否かを判定する判定手段と、
を備え、
前記ゲーム画像生成手段は、
前記条件が充足された場合には、その充足に協力した２以上の協力プレーヤの操作キャラクタに関連する画像を、少なくとも前記２以上の協力プレーヤのゲーム画面へ挿入される挿入画像として生成する挿入画像生成手段を含み、
前記挿入画像生成手段は、
前記２以上の協力プレーヤの各々に向けた前記挿入画像を、各々の操作キャラクタに応じて生成する、
ことを特徴とする画像生成装置。
【請求項１２】
複数のプレーヤが使用する端末と、当該複数のプレーヤが個別に操作する複数の操作キャラクタの協力により進行するゲームの画像を、前記端末を介して当該複数のプレーヤへ提供する画像生成装置と、から構成される画像生成システムであって、
前記画像生成装置が、
前記複数の操作キャラクタが行動するゲーム空間の画像を、前記複数のプレーヤに向けたゲーム画面として生成するゲーム画像生成手段と、
前記複数のプレーヤにより入力された操作情報に基づき発生するゲームイベント又は当該操作情報が、所与の条件を充足したか否かを判定する判定手段と、
を備え、
前記ゲーム画像生成手段は、
前記条件が充足された場合には、その充足に協力した２以上の協力プレーヤの操作キャラクタに関連する画像を、少なくとも前記２以上の協力プレーヤのゲーム画面へ挿入される挿入画像として生成する挿入画像生成手段を含み、
前記挿入画像生成手段は、
前記２以上の協力プレーヤの各々に向けた前記挿入画像を、各々の操作キャラクタに応じて生成する、
ことを特徴とする画像生成システム。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
血圧推定結果を表示する表示部と、
前記表示部に接続され、被測定部位を取り巻くベルト部と、
心電波形を検出するための、第１接触電極および第２接触電極と、
前記被測定部位を通る動脈の脈波を検出する脈波検出部を有する脈波センサとを備え、
前記第１接触電極および前記脈波検出部は、前記ベルト部の内周部に設けられており、
前記第２接触電極は、前記ベルト部の外周部に設けられており、
前記第１接触電極および前記脈波検出部は、前記第２接触電極が前記ベルト部の外周側から押圧された際に、前記被測定部位に押圧される位置に設けられている、血圧推定装置。
【請求項２】
前記脈波検出部および前記第２接触電極の各々の少なくとも一部が、前記ベルト部を間に挟んで互いに対向している、請求項１に記載の血圧推定装置。
【請求項３】
前記ベルト部は、ベルト本体と、該ベルト本体の内周側に設けられた膨縮可能な流体袋とを含み、
前記流体袋内の圧力を検出する圧力センサが設けられており、
前記第１接触電極および前記脈波検出部は、前記ベルト部の前記内周部を構成する前記流体袋の外表部に設けられており、
前記第２接触電極は、前記ベルト部の前記外周部を構成する前記ベルト本体の外表部に設けられている、請求項１または請求項２に記載の血圧推定装置。
【請求項４】
前記ベルト部は、前記ベルト本体と前記流体袋との間に配置された固形部材をさらに含み、
前記固形部材は、前記ベルト本体を間に挟んで前記第２接触電極の少なくとも一部と対向し、かつ、前記流体袋を間に挟んで前記脈波検出部の少なくとも一部と対向している、請求項３に記載の血圧推定装置。
【請求項５】
前記固形部材は、前記被測定部位の形状に沿うように湾曲している、請求項４に記載の血圧推定装置。
【請求項６】
前記脈波検出部は、前記被測定部位を通る前記動脈のインピーダンスの変化に基づいて脈波を検出する、請求項１から請求項５のいずれか１項に記載の血圧推定装置。
【請求項７】
前記脈波検出部による脈波の検出精度が基準値を満たしているかどうかの判定結果を報知する報知部をさらに備える、請求項１から請求項６のいずれか１項に記載の血圧推定装置。
【請求項８】
前記第２接触電極は、前記被測定部位を取り巻いた状態の前記ベルト部の前記外周部において、前記表示部とは前記ベルト部の周方向の反対側に位置している、請求項１から請求項７のいずれか１項に記載の血圧推定装置。
【手続補正２】
【補正対象書類名】明細書
【補正対象項目名】００１６
【補正方法】変更
【補正の内容】
【００１６】
【図１】本発明の実施形態１に係る血圧推定装置の外観を示す斜視図である。
【図２】本発明の実施形態１に係る血圧推定装置が被測定部位に装着された状態を示す断面図である。
【図３】本発明の実施形態１に係る血圧推定装置が被測定部位に装着された状態における、脈波センサの脈波検出部、第１接触電極および第２接触電極の配置を示す図である。
【図４】本発明の実施形態１に係る血圧推定装置の構成を示すブロック図である。
【図５】本発明の実施形態１に係る血圧推定装置が被測定部位に装着されて脈波伝播時間を測定している状態を示す断面図である。
【図６】本発明の実施形態１に係る血圧推定装置が検出した、ＥＣＧパルスと橈骨動脈の脈波との脈波伝播時間を示す図である。
【図７】本発明の実施形態１に係る血圧推定装置が被測定部位に装着されてオシロメトリック法によって血圧を測定している状態を示す断面図である。
【図８】本発明の実施形態２に係る血圧推定装置の外観を示す斜視図である。
【図９】本発明の実施形態２に係る血圧推定装置が被測定部位に装着された状態を示す断面図である。
【図１０】本発明の実施形態２に係る血圧推定装置が被測定部位に装着されて脈波伝播時間を測定している状態を示す断面図である。
【手続補正３】
【補正対象書類名】明細書
【補正対象項目名】００４４
【補正方法】変更
【補正の内容】
【００４４】
表示器５０は、たとえば、有機ＥＬ(Electro Luminescence)ディスプレイで構成されており、ＣＰＵ１００からの制御信号に従って、血圧推定結果などの血圧推定に関する情報、および、その他の情報を表示する。なお、表示器５０は、有機ＥＬディスプレイに限られず、たとえば、ＬＣＤ(Liquid Crystal Display)など、他のタイプのディスプレイで構成されていてもよい。
【手続補正４】
【補正対象書類名】明細書
【補正対象項目名】００５８
【補正方法】変更
【補正の内容】
【００５８】
図５は、本発明の実施形態１に係る血圧推定装置が被測定部位に装着されて脈波伝播時間を測定している状態を示す断面図である。図６は、本発明の実施形態１に係る血圧推定装置が検出した、ＥＣＧパルスと橈骨動脈の脈波との脈波伝播時間を示す図である。図５においては、左手首の長手方向に沿った断面を図示している。なお、説明の便宜上、第１接触電極６１の位置を変えて図示している。図６においては、縦軸に電圧(Ｖ)、横軸に時間を示している。
【手続補正５】
【補正対象書類名】図面
【補正対象項目名】図６
【補正方法】変更
【補正の内容】
【図６】
2019048009.tif 000001
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
有料の抽選によってプレイヤが入手したキャラクタであって当該プレイヤが任意に選択した第１のキャラクタと、当該プレイヤが無料で入手したキャラクタであって当該プレイヤが任意に選択した第２のキャラクタの合成指示を受け付ける合成指示受付手段と、
前記第１のキャラクタと前記第２のキャラクタを合成して、当該第１のキャラクタ及び当該第２のキャラクタとは異なる第３のキャラクタを生成する合成処理手段と、
を備え、
前記第３のキャラクタと同一のキャラクタは、有料の抽選によっても入手可能である、
情報処理装置。
【請求項２】
前記合成指示受付手段は、有料の抽選によってプレイヤが入手したキャラクタであって当該プレイヤが任意に選択した第１のキャラクタと、ゲームの進行によって当該プレイヤが無料で入手したキャラクタであって当該プレイヤが任意に選択した第２のキャラクタの合成指示を受け付ける、
請求項１に記載の情報処理装置。
【請求項３】
前記合成指示受付手段は、有料の抽選によってプレイヤが入手したキャラクタであって当該プレイヤが任意に選択した第１のキャラクタと、ゲームへのログインによって当該プレイヤが無料で入手したキャラクタであって当該プレイヤが任意に選択した第２のキャラクタの合成指示を受け付ける、
請求項１に記載の情報処理装置。
【請求項４】
前記合成指示受付手段は、有料の抽選によってプレイヤが入手したキャラクタであって当該プレイヤが任意に選択した第１のキャラクタと、無料の抽選によって当該プレイヤが入手したキャラクタであって当該プレイヤが任意に選択した第２のキャラクタの合成指示を受け付ける、
請求項１に記載の情報処理装置。
【請求項５】
前記合成処理手段は、前記第１のキャラクタと前記第２のキャラクタの組合せから特定された前記第３のキャラクタを生成する、
請求項１−４のいずれか１項に記載の情報処理装置。
【請求項６】
前記合成処理手段は、前記合成指示受付手段において、前記プレイヤが前記第１のキャラクタとして選択できる前記第３のキャラクタを生成する、
請求項１−５のいずれか１項に記載の情報処理装置。
【請求項７】
コンピュータを、
プレイヤが有料の抽選によって入手したキャラクタであって当該プレイヤが任意に選択した第１のキャラクタと、当該プレイヤが無料で入手したキャラクタであって当該プレイヤが任意に選択した第２のキャラクタの合成指示を受け付ける合成指示受付手段、
前記第１のキャラクタと前記第２のキャラクタを合成して、当該第１のキャラクタ及び当該第２のキャラクタとは異なる第３のキャラクタを生成する合成処理手段、
として機能させ、
前記第３のキャラクタと同一のキャラクタは、有料の抽選によっても入手可能である、
プログラム。
【手続補正２】
【補正対象書類名】明細書
【補正対象項目名】０００６
【補正方法】変更
【補正の内容】
【０００６】
上記した課題を解決するため、本願請求項１の情報処理装置は、有料の抽選によってプレイヤが入手したキャラクタであって当該プレイヤが任意に選択した第１のキャラクタと、当該プレイヤが無料で入手したキャラクタであって当該プレイヤが任意に選択した第２のキャラクタの合成指示を受け付ける合成指示受付手段と、前記第１のキャラクタと前記第２のキャラクタを合成して、当該第１のキャラクタ及び当該第２のキャラクタとは異なる第３のキャラクタを生成する合成処理手段と、を備え、前記第３のキャラクタと同一のキャラクタは、有料の抽選によっても入手可能である、ことを特徴とする。
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
内臓過敏を処置または防止する方法において使用するための、Ｂｌａｕｔｉａ属の細菌株を含む組成物。
【請求項２】
内臓過敏が、ＩＢＳ、クローン病、潰瘍性結腸炎、機能性消化不良または乳児疝痛に関連する、請求項１に記載の組成物。
【請求項３】
内臓過敏が、ＩＢＳ、クローン病、潰瘍性結腸炎または機能性消化不良に関連する、請求項２に記載の組成物。
【請求項４】
ＩＢＳ、クローン病、潰瘍性結腸炎、機能性消化不良または乳児疝痛と診断された対象において内臓過敏を処置または防止する際に使用するためのものである、請求項１に記載の組成物。
【請求項５】
ＩＢＳ、クローン病、潰瘍性結腸炎または機能性消化不良と診断された対象において内臓過敏を処置または防止する際に使用するためのものである、請求項４に記載の組成物。
【請求項６】
（ａ）内臓過敏の処置または防止において、硫酸塩還元細菌（ＳＲＢ）による胃腸管への定着を低減する際に使用するためのものである、及び／又は、
（ｂ）内臓過敏の処置または防止において、胃腸管におけるＨ２Ｓレベルを低下させる、またはＨ２Ｓレベルの上昇を防止する際に使用するためのものである、及び／又は、
（ｃ）胃腸管、特に結腸または直腸の疼痛を伴う膨張に苦しむ患者において内臓過敏を処置または防止する際に使用するためのものである、請求項１〜５のいずれかに記載の組成物。
【請求項７】
細菌株が、Ｂｌａｕｔｉａ  ｈｙｄｒｏｇｅｎｏｔｒｏｐｈｉｃａ、Ｂｌａｕｔｉａ  ｓｔｅｒｃｏｒｉｓ、またはＢｌａｕｔｉａ  ｗｅｘｌｅｒａｅの細菌株である、請求項１〜６のいずれかに記載の組成物。
【請求項８】
細菌株が、以下の（ａ）〜（ｄ）のいずれかの１６ｓ  ｒＲＮＡ配列と少なくとも９５％、９６％、９７％、９８％、９９％、９９．５％または９９．９％同一である１６ｓ  ｒＲＮＡ配列を有する、請求項１〜６のいずれかに記載の組成物。
（ａ）Ｂｌａｕｔｉａ  ｈｙｄｒｏｇｅｎｏｔｒｏｐｈｉｃａの細菌株の１６ｓ  ｒＲＮＡ配列；又は、
（ｂ）配列番号５；又は、
（ｃ）Ｂｌａｕｔｉａ  ｓｔｅｒｃｏｒｉｓの細菌株の１６ｓ  ｒＲＮＡ配列；又は、
（ｄ）Ｂｌａｕｔｉａ  ｗｅｘｌｅｒａｅ の細菌株の１６ｓ  ｒＲＮＡ配列；
【請求項９】
以下の（ａ）又は（ｂ）において使用するための、Ｂｌａｕｔｉａ  ｈｙｄｒｏｇｅｎｏｔｒｏｐｈｉｃａ種の細菌株を含む、請求項１に記載の組成物。
（ａ）ＩＢＳと診断された対象において内臓過敏を処置または防止する方法；又は、
（ｂ）内臓過敏の処置または防止において、硫酸塩還元細菌（ＳＲＢ）による胃腸管への定着を低減する、胃腸管におけるＨ２Ｓレベルを低下させる、またはＨ２Ｓレベルの上昇を防止する際；
【請求項１０】
以下の（ａ）又は（ｂ）において使用するための、Ｂｌａｕｔｉａ  ｓｔｅｒｃｏｒｉｓ種の細菌株を含む、請求項１に記載の組成物。
（ａ）ＩＢＳと診断された対象において内臓過敏を処置または防止する方法；又は、
（ｂ）内臓過敏の処置または防止において、硫酸塩還元細菌（ＳＲＢ）による胃腸管への定着を低減する、胃腸管におけるＨ２Ｓレベルを低下させる、またはＨ２Ｓレベルの上昇を防止する際；
【請求項１１】
以下の（ａ）又は（ｂ）において使用するための、Ｂｌａｕｔｉａ  ｗｅｘｌｅｒａｅ種の細菌株を含む、請求項１に記載の組成物。
（ａ）ＩＢＳと診断された対象において内臓過敏を処置または防止する方法；又は、
（ｂ）内臓過敏の処置または防止において、硫酸塩還元細菌（ＳＲＢ）による胃腸管への定着を低減する、胃腸管におけるＨ２Ｓレベルを低下させる、またはＨ２Ｓレベルの上昇を防止する際；
【請求項１２】
（ａ）経口投与用である、
（ｂ）１又は２以上の薬学的に許容可能な賦形剤または担体を含む、
（ｃ）細菌株が、凍結乾燥されている、及び／又は
（ｄ）細菌株が、生存可能である、請求項１〜１１のいずれかに記載の組成物。
【請求項１３】
Ｂｌａｕｔｉａ属の単一株を含む、又は、
Ｂｌａｕｔｉａ属の細菌株を微生物共同体の部分として含む、請求項１〜１２のいずれかに記載の組成物。
【請求項１４】
請求項１〜１３のいずれかに記載の使用のための、請求項１〜１３のいずれかに記載の組成物を含む食品。
【請求項１５】
請求項１〜１３のいずれかに記載の使用のための、請求項１〜１３のいずれかに記載の組成物を含むワクチン組成物。
【請求項１６】
Ｂｌａｕｔｉａ属の細菌株を含む、内臓過敏を処置または防止するための薬剤。
【請求項１７】
細菌株が、Ｂｌａｕｔｉａ  ｈｙｄｒｏｇｅｎｏｔｒｏｐｈｉｃａ、Ｂｌａｕｔｉａ  ｓｔｅｒｃｏｒｉｓ、またはＢｌａｕｔｉａ  ｗｅｘｌｅｒａｅの細菌株である、請求項１６に記載の薬剤。
【請求項１８】
細菌株が、Ｂ．ｈｙｄｒｏｇｅｎｏｔｒｏｐｈｉｃａである、請求項１７に記載の薬剤。
【請求項１９】
（ａ）内臓過敏が、ＩＢＳ、クローン病、潰瘍性結腸炎、機能性消化不良または乳児疝痛に関連する、又は、
（ｂ）患者が、ＩＢＳ、クローン病、潰瘍性結腸炎、機能性消化不良または乳児疝痛と診断されており、任意で、ＩＢＳと診断されている、
請求項１６に記載の薬剤。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
１）下記一般式（２）に表される化合物、その異性体及び／又はそれらの薬理学的に許容される塩と、２）部分架橋型メチルポリシロキサンを含有することを特徴とする、オイルゲル剤形の皮膚外用剤。
【化１】
2019048889.tif 000001
[式中、Ｒ４は、カルボキシル基により置換された炭素数１〜４の直鎖又は分岐のアルキ
ル基を表し、Ｒ５及びＲ６は、それぞれ独立に、炭素数１〜４の直鎖又は分岐のアルキル基を表す。]
【請求項２】
さらに、前記部分架橋型メチルポリシロキサン以外のシリコーンオイルを含有することを特徴とする、請求項１に記載のオイルゲル剤形の皮膚外用剤。
【請求項３】
前記一般式（２）に表される化合物が、下記式（３）に表される３（ＲＳ）−[[４−（カルボキシメチルアミノカルボニル）フェニルカルボニル]−L−バリル−L−プロリル]アミノ−１，１，１−トリフルオロ−４−メチル−２−オキソペンタンであることを特徴とする、請求項１または２に記載のオイルゲル剤形の皮膚外用剤。
【化３】
2019048889.tif 000002
【請求項４】
更に、球状粉体を含有することを特徴とする、請求項１〜３の何れか１項に記載のオイルゲル剤形の皮膚外用剤。
【請求項５】
前記球状粉体が、有機球状粉体であることを特徴とする、請求項４に記載のオイルゲル剤形の皮膚外用剤。
【請求項６】
前記球状粉体が、ポリメチルメタクリレートであることを特徴とする、請求項４または５に記載のオイルゲル剤形の皮膚外用剤。
【請求項７】
前記球状粉体が、皮膚外用剤全量に対し１２〜５０質量％含有されることを特徴とする、請求項４〜６の何れか１項に記載のオイルゲル剤形の皮膚外用剤。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
次の成分（Ａ）〜（Ｃ）の条件を満たす油性固形化粧料。
（Ａ）融点３０℃以上６５℃以下の直鎖状又は分岐状のＣ１０〜Ｃ２２脂肪鎖を有するワックスを含有する
（Ｂ）疎水化処理煙霧状無水ケイ酸を０．１〜０．８質量％含有する
（Ｃ）融点が７５℃以上のワックスを含有する
【請求項２】
前記（Ａ）が、植物油の接触水添によって得られるワックスであることを特徴とする請求項１に記載の油性固形化粧料。
【請求項３】
前記（Ａ）が、水添パーム油及び水添ココナツ油から選ばれることを特徴とする請求項１又は２に記載の油性固形化粧料。
【請求項４】
前記（Ａ）と（Ｃ）の含有比率（質量比）が２：１〜１：３であることを特徴とする請求項１〜３のいずれか一項に記載の油性固形化粧料。
【請求項５】
更に、成分（Ｃ）のワックス全体に対する炭化水素系ワックスの含有比率が４０質量％以上９０質量％未満であることを特徴とする請求項１〜４のいずれか一項に記載の油性固形化粧料。
【手続補正２】
【補正対象書類名】明細書
【補正対象項目名】０００３
【補正方法】変更
【補正の内容】
【０００３】
一方、融点３０℃以上６５℃以下の直鎖状又は分枝状のＣ１０〜Ｃ２２脂肪鎖を有するワックスと疎水化処理煙霧状無水ケイ酸を０．１〜０．８質量％と融点が７５℃以上のワックスを含有する油性固形化粧料が滑らかなつけ心地と化粧膜の追従性や化粧もちを両立させることは知られていなかった。 
【手続補正３】
【補正対象書類名】明細書
【補正対象項目名】０００６
【補正方法】変更
【補正の内容】
【０００６】
上記課題を解決するために本発明者らは鋭意研究を行った結果、融点３０℃以上６５℃以下の直鎖状又は分岐状のＣ１０〜Ｃ２２脂肪鎖を有するワックスを含有する、疎水化処理煙霧状無水ケイ酸と、融点が７５℃以上のワックスを組み合わせ、特定の範囲で混合し成型することにより、上記課題を解決しうることを見出し、本発明を完成させた。
すなわち本発明は、
（１）次の成分（Ａ）〜（Ｃ）の条件を満たす油性固形化粧料。
（Ａ）融点３０℃以上６５℃以下の直鎖状又は分岐状のＣ１０〜Ｃ２２脂肪鎖を有するワックスを含有する
（Ｂ）疎水化処理煙霧状無水ケイ酸を０．１〜０．８質量％含有する
（Ｃ）融点が７５℃以上のワックスを含有する
（２）前記（Ａ）が、植物油の接触水添によって得られるワックスであることを特徴とする（１）に記載の油性固形化粧料。
（３）前記（Ａ）が、水添パーム油及び水添ココナツ油から選ばれることを特徴とする（１）又は（２）に記載の油性固形化粧料。
（４）前記（Ａ）と（Ｃ）の含有比率（質量比）が２：１〜１：３であることを特徴とする（１）〜（３）のいずれかに記載の油性固形化粧料。
（５）更に、成分（Ｃ）のワックス全体に対する炭化水素系ワックスの含有比率が４０質量％以上９０質量％未満であることを特徴とする（１）〜（４）のいずれかに記載の油性固形化粧料。
【手続補正４】
【補正対象書類名】明細書
【補正対象項目名】００１０
【補正方法】変更
【補正の内容】
【００１０】
（３）本発明の必須成分である成分（Ｃ）融点７５℃以上のワックスについて
本発明では、油剤の融点に幅がある場合、その中心値をその油剤の融点とする。
本発明に用いる成分（Ｃ）融点７５℃以上の油剤（以下、高融点ワックスと称する）は、融点が７５℃以上であり、化粧料に用いることができるものであれば特に限定されないが、他の成分との混和性が良好なことから、高融点キャンデリラワックス、合成炭化水素ワックス（表示名称）が特に好ましい。これら高融点ワックスの市販品としては「精製キャンデリラワックスＦＲ−１００」、「リップワックスＡ−４（合成炭化水素ワックス）」、「リップワックスＰＺ８０−２０（合成炭化水素ワックスとエチレンプロピレンコポリマーの混合物）」（いずれも、株式会社日本ナチュラルプロダクツ製）が例示できる。配合量としては、使用性、硬度維持の点で化粧料全量に対して、３質量％以上が好ましく、４質量％以上がより好ましい。また、充分な塗布量が得られる点で８質量％未満が好ましく、６質量％未満がより好ましい。また、上記ワックスの中でも本願では「リップワックスＡ−４」「リップワックスＰＺ８０−２０」等の炭化水素系ワックスの含有比率が高融点ワックス全量に対して４０％以上９０％未満が好ましく、５０％以上８０％未満が長期にわたって硬度を維持する点でさらに好ましい。
【手続補正５】
【補正対象書類名】明細書
【補正対象項目名】００１８
【補正方法】変更
【補正の内容】
【００１８】
［製造例１］色素ペーストの調製
下記表１の処方にしたがって色素ペーストを調製した。すなわち、表１の成分を三本ロールで粉砕混合して色素ペーストを得た。なお表中の数値は質量％を表す。
【手続補正６】
【補正対象書類名】明細書
【補正対象項目名】００２４
【補正方法】変更
【補正の内容】
【００２４】
［試験例１］化粧膜の追従性評価
ゴム硬度１０°、２５ｃｍ２区画のシリコーンゴム基盤（共和工業社製）全面に０．０６３ｇの試料を均一塗布し、３Ｄビデオマイクロスコープ（キーエンス社製、ワンショット３Ｄビデオマイクロスコープ  ＶＲ−３０００）にて画像を撮影した。その後、規則的に縦横に伸縮させた試料を再度撮影し、伸縮前後の表面状態を面粗さの指標であるＳｑ値で求め、更に伸縮前に対する変化率を算出した。変化率を以下の表４の基準でスコア化し、結果を表５、表６に示す。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
搬送経路の中途部に配設され、前記搬送経路上を搬送される搬送物の厚さを検出する検出部と、
前記検出部で検出した検出値に基づいて前記搬送物の重送状態を判定する判定部と、を備える重送検知システムであって、
前記判定部は、
前記搬送物の始端部における検出値の代表値である第１検出値を定める第１演算部と、  前記搬送物の中途部における検出値の代表値である第２検出値を定める第２演算部と、  前記搬送物の終端部における検出値の代表値である第３検出値を定める第３演算部と、  前記第１検出値と前記第２検出値とを比較して重送状態を判定する第１判定部と、
前記第２検出値と前記第３検出値とを比較して重送状態を判定する第２判定部と、を備えることを特徴とする重送検知システム。
【請求項２】
前記判定部は、前記搬送物の始端部における複数の検出値のばらつきが第１所定範囲内である場合に前記第１検出値を定め、前記搬送物の終端部における複数の検出値のばらつきが第２所定範囲内である場合に前記第３検出値を定めることを特徴とする請求項１に記載の重送検知システム。
【請求項３】
前記検出部が接触式センサであることを特徴とする請求項１又は請求項２に記載の重送検知システム。
【請求項４】
搬送経路上を搬送される搬送物の厚さを検出する検出工程と、
前記検出工程で検出した検出値に基づいて前記搬送物の重送状態を判定する判定工程と、を搬送物の搬送ごとに実行する重送検知方法であって、
前記判定工程は、
前記搬送物の始端部における検出値の代表値である第１検出値を定める第１演算工程と、
前記搬送物の中途部における検出値の代表値である第２検出値を定める第２演算工程と、
前記搬送物の終端部における検出値の代表値である第３検出値を定める第３演算工程と、
前記第１検出値と前記第２検出値とを比較して重送状態を判定する第１判定工程と、
前記第２検出値と前記第３検出値とを比較して重送状態を判定する第２判定工程と、を含むことを特徴とする重送検知方法。
【請求項５】
前記判定工程は、前記搬送物の始端部における複数の検出値のばらつきが第１所定範囲内である場合に前記第１検出値を定め、前記搬送物の終端部における複数の検出値のばらつきが第２所定範囲内である場合に前記第３検出値を定めることを特徴とする請求項４に記載の重送検知方法。
【請求項６】
前記検出工程は接触式センサによって実行されることを特徴とする請求項４又は請求項５に記載の重送検知方法。
【手続補正２】
【補正対象書類名】明細書
【補正対象項目名】０００７
【補正方法】変更
【補正の内容】
【０００７】
上記の重送検知システムにおいて、前記判定部は、前記搬送物の始端部における複数の検出値のばらつきが第１所定範囲内である場合に前記第１検出値を定め、前記搬送物の終端部における複数の検出値のばらつきが第２所定範囲内である場合に前記第３検出値を定めるようにしてもよい。
【手続補正３】
【補正対象書類名】明細書
【補正対象項目名】００１０
【補正方法】変更
【補正の内容】
【００１０】
上記の重送検知方法において、前記判定工程は、前記搬送物の始端部における複数の検出値のばらつきが第１所定範囲内である場合に前記第１検出値を定め、前記搬送物の終端部における複数の検出値のばらつきが第２所定範囲内である場合に前記第３検出値を定めるようにしてもよい。
【手続補正書】
【提出日】令和2年7月22日(2020.7.22)
【手続補正１】
【補正対象書類名】明細書
【補正対象項目名】００４３
【補正方法】変更
【補正の内容】
【００４３】
（実施例）
素材としての合成樹脂フィルムは、以下の構成とした。基材フィルムとしてユニチカ社製ナイロンフィルム「エンブレム」（登録商標）（厚さ１５μｍ）を使用し、最内層シーラントフィルムに大和製罐株式会社製１軸延伸ＰＥＴフィルム「大和ベルファイン」（登録商標）（厚さ１２μｍ）を使用し、これらのフィルムをウレタン系接着剤を用いてドライラミネートにより貼り合わせた。なお、大和ベルファインはＭＤ方向に１軸延伸されたフィルムである。この多層フィルムを、ＰＥＴフィルムが内側となるように二つ折りし、ＭＤ方向が縦になるように縦５５ｍｍ、横４５ｍｍの矩形状に重ね合わせた。前述した図２の（ｄ）に示すように、左辺部５と上辺部４とを熱溶着（ヒートシール）し、併せて上辺部４側の内寸の中央に開封誘導溶着部（易開封部）７と流出路８とを形成した。なお、シール部２の幅Ｗは１０ｍｍとし、開封誘導溶着部７の形状は三角形とした。さらに、流出路８の長さは１０ｍｍ、開口幅Ｗ８は４ｍｍとし、これは、上辺部４側でのシール部２の内寸Ｌ４の長さが３５ｍｍであるからシール部２の内寸Ｌ４の長さの約１１％である。さらに、開封誘導溶着部７の突出長さＬは、小袋１の内側に向けて５ｍｍとし、したがってシール部２の幅Ｗの半分とした。
このようにして作成した小袋１に、内容物として約５ｇの水道水を入れ、中に空気が入らないようにして下辺部６を幅１０ｍｍでヒートシールし、満注型液体小袋を作成した。
【手続補正書】
【提出日】令和2年6月9日(2020.6.9)
【手続補正１】
【補正対象書類名】明細書
【補正対象項目名】０００９
【補正方法】変更
【補正の内容】
【０００９】
本発明に係る多液充填袋によれば、使用の前までは、複数の種類の異なる内容物が弱シール仕切り壁によってそれぞれ独立して収容されると共に、使用開始に当たって該弱シール仕切り壁を手指等による小さな力によって剥離させることで該内容物を袋内において予め混合し、均一に混ぜ合わせることができるため、常に同じ品質の混合液を提供することができる。しかも、本発明の多液充填袋によれば、使用開始にあたり、手指等による押圧力だけで複数種類の内容物を袋内にて混合および攪拌させることができるため、容器の数を減らすことができ、しかも混合作業を簡素化することができるだけでなく、周囲を汚損等することもない。
【手続補正２】
【補正対象書類名】明細書
【補正対象項目名】００１０
【補正方法】変更
【補正の内容】
【００１０】
しかも、本発明では、前記弱シール仕切り壁が、該弱シール仕切り壁と交差する方向に、袋本体を折り畳み、その折畳み状態で該袋本体に外力を付加することによって少なくとも一部が剥離するように構成されているため、袋本体が平坦な姿勢に保持されている限り、外部から不測の押圧力がかかったとしても、前記弱シール仕切り壁が剥離するようなことがなく、商品の流通過程など、使用開始前に誤って複数の内容物が混合されるおそれがない。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
パウチ本体の外縁の一部である装着縁部にスパウトを装着したスパウト付きパウチであって、
前記パウチ本体は、前記装着縁部に沿って形成され前記パウチ本体の表裏のフィルムの間に前記スパウトの取付基部を配置した状態で表裏のフィルムを熱溶着して前記スパウトを取り付ける装着シール部を有した外縁シール部と、前記外縁シール部の前記装着シール部のパウチ平面方向の内側において、スパウト本体の中心軸を延長させた仮想線を挟んで左右両側に形成された一対の流路制御シール部とを有し、
前記仮想線に直交する方向において、少なくとも一方の前記流路制御シール部の、前記仮想線とは反対側の側部には、内容液を収容する収容部に連通する未シール部が隣接して形成されていることを特徴とするスパウト付きパウチ。
【請求項２】
前記未シール部は、前記仮想線に直交する方向において、前記一対の流路制御シール部の一方の、前記仮想線とは反対側の側部に形成されていることを特徴とする請求項１に記載のスパウト付パウチ。
【請求項３】
前記未シール部は、前記仮想線に直交する方向において、前記各流路制御シール部の、前記仮想線とは反対側の側部にそれぞれ形成されていることを特徴とする請求項１に記載のスパウト付きパウチ。
【請求項４】
前記各流路制御シール部は、前記装着シール部に連続して形成されていることを特徴とする請求項１乃至請求項３のいずれかに記載のスパウト付きパウチ。
【請求項５】
前記パウチ本体には、内容液の注出を中断する時に指で押える位置を示す位置マークが設けられ、
前記位置マークは、前記仮想線上において、前記一対の流路制御シール部よりもパウチ平面方向の内側に位置する箇所を含むように形成されていることを特徴とする請求項１乃至請求項４のいずれかに記載のスパウト付きパウチ。
【請求項６】
前記パウチ本体は、上縁部と、第１の側縁部および第２の側縁部と、下縁部とを有し、
前記スパウトは、前記上縁部、前記第１の側縁部、または、前記上縁部および前記第１の側縁部の間の角を切り欠くことで形成された斜縁部に装着され、
前記外縁シール部は、前記第２の側縁部に沿って形成された第２の側縁シール部を有し、
前記第２の側縁シール部には、使用者による前記スパウト付きパウチの把持位置を示す把持部が設けられていることを特徴とする請求項１乃至請求項５のいずれかに記載のスパウト付きパウチ。
【手続補正２】
【補正対象書類名】明細書
【補正対象項目名】０００９
【補正方法】変更
【補正の内容】
【０００９】
本発明は、パウチ本体の外縁の一部である装着縁部にスパウトを装着したスパウト付きパウチであって、前記パウチ本体は、前記装着縁部に沿って形成され前記パウチ本体の表裏のフィルムの間に前記スパウトの取付基部を配置した状態で表裏のフィルムを熱溶着して前記スパウトを取り付ける装着シール部を有した外縁シール部と、前記外縁シール部の前記装着シール部のパウチ平面方向の内側において、スパウト本体の中心軸を延長させた仮想線を挟んで左右両側に形成された一対の流路制御シール部とを有し、前記仮想線に直交する方向において、少なくとも一方の前記流路制御シール部の、前記仮想線とは反対側の側部には、内容液を収容する収容部に連通する未シール部が隣接して形成されていることにより、前記課題を解決するものである。
【手続補正３】
【補正対象書類名】明細書
【補正対象項目名】００１０
【補正方法】変更
【補正の内容】
【００１０】
本請求項１に係る発明によれば、外縁シール部の内側において、スパウト本体の中心軸を延長させた仮想線を挟んで左右両側に形成された一対の流路制御シール部を形成することにより、後述するスパウト取付基部の厚みに起因して表裏のフィルムが離間するフィルム離間領域の外縁のうち、表裏のフィルムが離れた開部分を、スパウトから遠いフィルム離間領域の外縁の先端側に限定することが可能であるため、当該フィルム離間領域の外縁の先端側を指で挟むことで、内容液の注出の一時停止（注出の中断性）や内容液の注出の勢いの調整等を良好に行うことができる。
また、スパウト取付基部の厚み寸法をＸ、スパウト取付基部から作用点部までの長さ寸法をＬ、一対の流路制御シール部の作用点部間の幅寸法をＷと規定した場合に、厚み寸法Ｘ、長さ寸法Ｌ、および、幅寸法Ｗを、Ｗ／Ｘ＝１．２〜２．０、および、Ｌ／Ｘ＝０．３〜１．５の関係を満足するように設定した場合、フィルム離間領域の先端側を指で挟むことによる内容液の注出の中断性、および、指による挟持を解除して内容液の注出を再開させる際の内容液の再注出性を向上することができる。
【手続補正４】
【補正対象書類名】明細書
【補正対象項目名】００１１
【補正方法】変更
【補正の内容】
【００１１】
本請求項２、３、４に係る発明によれば、内容液の注出の中断性および内容液の再注出性を更に安定的に確保することができる。
本請求項１に係る発明によれば、仮想線に直交する方向において、少なくとも一方の流路制御シール部の、仮想線とは反対側の側部に、未シール部が隣接して形成されていることにより、内容液の注出時に、未シール部内に入り込んだ内容液によって未シール部が膨み、このような未シール部の膨らみに影響を受けて、フィルム離間領域の外縁の先端側において、表裏のフィルムが互いに離れ易くなるため、内容液の良好な注出性を確保することができ、特に、内容液の注出を再開させる際の内容液の再注出性を向上させることができる。
本請求項５に係る発明によれば、指で押える位置を示す位置マーク形成されていることにより、内容液の注出の中断もしくは再注出の際に、フィルム離間領域の外縁の先端側の最適な位置を指によって確実に押さえる、或いは開放することができる。
本請求項６に係わる発明によれば、スパウトが、上縁部、第１の側縁部、または、上縁部および第１の側縁部の間の角を切り欠くことで形成された斜縁部に装着され、第２の側縁シール部に、使用者によるスパウト付きパウチの把持位置を示す把持部が設けられている。これにより、使用者がスパウト付きパウチを持ち上げつつも、スパウト近傍において上述したフィルム離間領域の外縁の先端側を指で挟むことが可能な持ち方に、使用者を誘導することが可能であるため、使用者が内容液の注出の一時停止や内容液の注出の再開を容易に操作することができる。
【手続補正書】
【提出日】令和2年4月20日(2020.4.20)
【手続補正１】
【補正対象書類名】特許請求の範囲
【補正対象項目名】請求項１
【補正方法】変更
【補正の内容】
【請求項１】
容器部と蓋部とがヒンジ部を介して開閉自在な包装容器であり、
前記容器部が、底板と、該底板の外周より立ち上がる前板と後板と左右の側板と、を有し、
前記蓋部が、天板と、該天板の前端辺に連接する前フラップと、を有し、
前記後板の開口側端辺と、前記天板の後端辺とが連接して前記ヒンジ部を構成する包装容器において、
前記天板の前記前端辺が内側に向かって湾曲し、
前記前端辺から前記後端辺までの最短距離Ｌ１が、前記側板の開口側の端辺の長さＬ２よりも短く、
前記前フラップを前記容器部内に配置して前記蓋部を閉じた状態で、前記前フラップと前記前板との間に空間が介在することを特徴とする包装容器。
【手続補正２】
【補正対象書類名】特許請求の範囲
【補正対象項目名】請求項４
【補正方法】変更
【補正の内容】
【請求項４】
前記天板の前記前端辺の両端部において、前記天板と前記前フラップとが部分的に切り欠かれた切り欠き部を有し、
前記容器部が、前記側板の開口側の端辺に連接する上フラップを有し、
前記上フラップを内側に配置して前記蓋部を閉じた状態で、前記上フラップの前記前板側の端部が前記切り欠き部より外部に突出して前記天板及び前記前フラップに係止されることを特徴とする請求項１乃至３のいずれか一項に記載の包装容器。
【手続補正３】
【補正対象書類名】明細書
【補正対象項目名】００２５
【補正方法】変更
【補正の内容】
【００２５】
尚、本実施形態においては、天板２１の前端辺２１ａの両端部において、天板２１と前フラップ２２とを部分的に切り欠いた切り欠き部２１ｍが形成されているが、前端辺２１ａの両端部の高さＨ３は、該切り欠き部２１ｍが形成されていない場合の前端辺２１ａの両端部の高さである。図７において、切り欠き部２１ｍが形成されなかった場合の前端辺２１ａの両端部近傍は、破線２１ｋで示され、該破線２１ｋと、破線２１ｇ’で示される天板２１の側端辺２１ｇの延長線との接点Ｄが、前端辺２１ａの両端部である。よって、前端辺２１ａの高さＨ３は、接点Ｄから、先端辺２２ａの延長線２２ａ’と天板２１の側端辺２１ｇの延長線２１ｇ’との交点Ｅまでの距離である。
【手続補正４】
【補正対象書類名】明細書
【補正対象項目名】００２６
【補正方法】変更
【補正の内容】
【００２６】
また、本発明において、前端辺２１ａの両端部から天板２１の後端辺２１ｄまでの距離Ｌ３が、天板２１の側端辺２１ｇの長さであり、該距離Ｌ３は、側板１３，１４の開口側の端辺の長さＬ２と等しく形成される。
【手続補正５】
【補正対象書類名】明細書
【補正対象項目名】００３０
【補正方法】変更
【補正の内容】
【００３０】
さらに、本発明においては、天板２１の後端辺２１ｄ側においても、前端辺２１ａと同様に、後端辺２１ｄの中央部を後板１２側に突出する切り込み部２１ｅとすることで、天板２１を後端辺２１ｄにおいて折り曲げた際に、図１，図３（ａ），図３（ｄ），図４に示すように、天板２１の一部が後方に突出する突出片２１ｆとなり、後板１２の天板２１との連接側には、図３（ｅ）、図４に示すように、該突出片２１ｆに対応する孔部２１ｉが形成され、包装容器内の蒸気抜きが形成される。
【手続補正６】
【補正対象書類名】明細書
【補正対象項目名】００３４
【補正方法】変更
【補正の内容】
【００３４】
容器部がテーパー形状の場合、図１０に示すように、前板１１，後板１２，両側板１３，１４の形状が、開口側の端辺よりも底板１５側端辺が短い台形である以外、前板１１，後板１２，両側板１３，１４及び天板２１，前フラップ２２の基本構成とその好ましい形態については先に示した実施形態と同じである。また、本実施形態の場合、底板１５と前板１１，後板１２，両側板１３，１４とを接続して容器部の形状を維持するために、底板１５の外周に前板１１，後板１２，両側板１３，１４の下端辺を連接し、前板１１と後板１２のそれぞれの両側辺に固定片１１ｂ，１１ｃ，１２ｃ，１２ｄを連接し、固定片１１ｂ，１２ｃを側板１３に、固定片１１ｃ、１２ｄを側板１４に接着固定する。
【手続補正７】
【補正対象書類名】図面
【補正対象項目名】図２
【補正方法】変更
【補正の内容】
【図２】
2019048660.tif 000001
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
遊技球を貯留する導電性を有した球タンク部と、
前記遊技球を受け入れ、当該遊技球を下方に備える払出装置へ流下する流下通路部と、
前記球タンク部に貯留された前記遊技球を、前記流下通路部の球受け入れ口へと誘導する誘導レール部と、
外部装置と接続可能な外部端子板と、を備え、
前記外部端子板が、遊技機後方から見たとき、前記球タンク部の右側であって、前記流下通路部の前記球受け入れ口よりも上側の位置に設けられた遊技機において、
前記誘導レール部は、前記球タンク部を構成する後端壁部より後方へと前記外部端子板から遠ざかるように屈曲し、当該外部端子板の下方の前記流下通路部の前記球受け入れ口へと遊技球を誘導可能に形成され、
前記外部端子板の下方、前誘導レール部の上端には、レールカバーが設けられており、
さらに、遊技機後方から見たときに前記球タンク部の左側壁を構成する壁部よりも左側に延出するかたちで延出部が形成されており、
前記延出部には、前記球タンク部を固定するための取付孔部が形成されており、
該取付孔部に金属部材が挿入されることで前記球タンク部を当該遊技機に取付可能であり、
前記取付孔部に金属部材が挿入され、前記球タンク部が当該遊技機に取り付けられることで前記球タンク部の前記取付孔部に挿入された前記金属部材がアース接続された所定部材と電気的に接続されるようになり、
前記球タンク部に位置する帯電した遊技球の静電気を、前記外部端子板から離間した位置で除電可能にした
ことを特徴とする遊技機。
【手続補正２】
【補正対象書類名】明細書
【補正対象項目名】０００２
【補正方法】変更
【補正の内容】
【０００２】
パチンコ機等に代表される遊技機において、静電気によって誤作動を起こすことが知られている（例えば特許文献１）。
【手続補正３】
【補正対象書類名】明細書
【補正対象項目名】０００５
【補正方法】変更
【補正の内容】
【０００５】
本発明は、このような事情に鑑みてなされたものであり、その目的は、静電気の影響を軽減させることが可能な遊技機を提供することにある。
【手続補正４】
【補正対象書類名】明細書
【補正対象項目名】０００６
【補正方法】変更
【補正の内容】
【０００６】
［手段１］に係る遊技機は、  遊技球を貯留する導電性を有した球タンク部と、
前記遊技球を受け入れ、当該遊技球を下方に備える払出装置へ流下する流下通路部と、
前記球タンク部に貯留された前記遊技球を、前記流下通路部の球受け入れ口へと誘導する誘導レール部と、
外部装置と接続可能な外部端子板と、を備え、
前記外部端子板が、遊技機後方から見たとき、前記球タンク部の右側であって、前記流下通路部の前記球受け入れ口よりも上側の位置に設けられた遊技機において、
前記誘導レール部は、前記球タンク部を構成する後端壁部より後方へと前記外部端子板から遠ざかるように屈曲し、当該外部端子板の下方の前記流下通路部の前記球受け入れ口へと遊技球を誘導可能に形成され、
前記外部端子板の下方、前誘導レール部の上端には、レールカバーが設けられており、
さらに、遊技機後方から見たときに前記球タンク部の左側壁を構成する壁部よりも左側に延出するかたちで延出部が形成されており、
前記延出部には、前記球タンク部を固定するための取付孔部が形成されており、
該取付孔部に金属部材が挿入されることで前記球タンク部を当該遊技機に取付可能であり、
前記取付孔部に金属部材が挿入され、前記球タンク部が当該遊技機に取り付けられることで前記球タンク部の前記取付孔部に挿入された前記金属部材がアース接続された所定部材と電気的に接続されるようになり、
前記球タンク部に位置する帯電した遊技球の静電気を、前記外部端子板から離間した位置で除電可能にした
ことを特徴とする遊技機である。
【手続補正５】
【補正対象書類名】明細書
【補正対象項目名】０００７
【補正方法】変更
【補正の内容】
【０００７】
本発明によれば、静電気による影響を軽減させることが可能な遊技機を提供することが可能となる。